(57)【要約】      （修正有）【課題】人体の下半身を効率よく温めることが可能であり、洗濯も容易である下半身用タオルを提供する。【解決手段】使用者の少なくとも下半身を覆う布製品であって、タオル地の布材によって形成され、基端部が開口して開口部２０Ａが形成され、先端部が閉塞した筒状をなし、使用者の少なくとも下半身を覆う、下半身用タオルである。基端部及びその近傍は、他の部分と異なり、折り返して２重となっている。そして、魚の下半身の形態を有し、下半身用タオルの先端部が魚の尾の形態を有している。【選択図】図１Ａ
0003215291.tif 000002
【実用新案登録請求の範囲】
【請求項１】
使用者の少なくとも下半身を覆う布製品であって、
タオル地の布材によって形成され、基端部が開口して開口部が形成され、先端部が閉塞した筒状をなし、
使用者の少なくとも下半身を覆う、下半身用タオル。
【請求項２】
請求項１に記載の下半身用タオルであって、
前記基端部及びその近傍が他の部分よりも多重のタオル地の布材によって形成されている、
下半身用タオル。
【請求項３】
請求項１又は請求項２に記載の下半身用タオルであって、
魚の下半身の形態を有し、当該下半身用タオルの先端部が当該魚の尾の形態を有している、
下半身用タオル。
【請求項４】
請求項１又は請求項２に記載の下半身用タオルであって、
動物の形態を有し、当該下半身用タオルの基端部又は基端部及びその近傍が当該動物の口部に相当する、
下半身用タオル。
【考案の詳細な説明】
【技術分野】
【０００１】
本考案は、人体の下半身に着用して使用するタオルに関するものである。
【背景技術】
【０００２】
低い室温の部屋にいる人や冷え性の人は、その下半身を温めるためにウール等で形成された毛布等を使用する場合がある。
しかしながら、通常の毛布は長方形状をしているため、使用者が自身の下半身を覆う場合は、後ろの部分に隙間が生ずるのが一般的である。また、足先が覆われないことが一般的である。このため、その毛布で囲われた空間内に冷気が進入し、下半身を温める上で不十分である。
【０００３】
また、毛布で足先を覆うようにすると、どうしてもその毛布が汚れやすくなることとなり、頻繁に洗濯する必要が生じる。
しかしながら、ウール等で形成された毛布の場合はドライクリーニングを行う必要があり、家庭で洗濯する上でネックとなっている。
【０００４】
なお、本考案に関連する先行技術として、特許文献１に記載されているものがある。
【先行技術文献】
【特許文献】
【０００５】
【特許文献１】特開平１０−０４６４１０号公報
【考案の概要】
【考案が解決しようとする課題】
【０００６】
本考案は、人体の下半身を効率よく温めることが可能であり、洗濯も容易であるものを提供することを課題とする。
【課題を解決するための手段】
【０００７】
この課題を解決するために、請求項１に係る考案は、使用者の少なくとも下半身を覆う布製品であって、タオル地の布材によって形成され、基端部が開口して開口部が形成され、先端部が閉塞した筒状をなし、使用者の少なくとも下半身を覆う、下半身用タオルである。
【０００８】
この考案の下半身タオルは、開口部を通して、使用者の少なくとも下半身に着用される。その際、この下半身タオルが筒状をしているため、使用者の下半身における仮想断面の全周囲を覆うとともに、その先端部が閉塞しているため、使用者の足先まで覆い、外部からの冷気の侵入が阻止され、使用者の下半身は確実に保温される。
また、この下半身用タオルは文字通りタオル地の布材によって形成されているため、軽量であるとともに、柔らかい感触が得られ、汚れた場合は家庭でも容易に洗濯することができる。
【０００９】
請求項２に係る考案は、請求項１に係る考案の下半身用タオルであって、前記基端部及びその近傍が他の部分よりも多重のタオル地の布材によって形成されている、下半身用タオルである。
【００１０】
この考案の下半身タオルでは、請求項１に係る考案の下半身用タオルの作用効果に加えて、次の作用効果が得られる。
すなわち、この考案の下半身用タオルが使用者の下半身のみならず腹部にまで及ぶ場合においては、この下半身用タオルの基端部及びその近傍が使用者の腹部に対応し得ることとなる。その場合においては、当該部分が他の部分よりも多重のタオル地の布材によって形成されているため、使用者の腹部がより確実に保温されることとなる。
【００１１】
請求項３に係る考案は、請求項１又は請求項２に係る考案の下半身用タオルであって、魚の下半身の形態を有し、当該下半身用タオルの先端部が当該魚の尾の形態を有している、下半身用タオルである。
【００１２】
この考案の下半身タオルでは、請求項１又は請求項２に係る考案の下半身用タオルの作用効果に加えて、次の作用効果が得られる。
すなわち、この考案の下半身用タオルは魚の下半身の形態を有し、当該下半身用タオルの先端部が当該魚の尾の形態を有しているため、使用者の下半身（腹部等まで及ぶ場合を含む）に着用された場合に、使用者も含めて「人魚」の形態となる。このため、使用者及び周囲の人たちに興趣を与えることが可能であり、楽しく着用することができる。
【００１３】
請求項４に係る考案は、請求項１又は請求項２に係る考案の下半身用タオルであって、動物の形態を有し、当該下半身用タオルの基端部又は基端部及びその近傍が当該動物の口部に相当する、下半身用タオルである。
【００１４】
この考案の下半身タオルでは、請求項１又は請求項２に係る考案の下半身用タオルの作用効果に加えて、次の作用効果が得られる。
すなわち、この考案の下半身用タオルは動物の形態を有し、当該下半身用タオルの基端部又は基端部及びその近傍が当該動物の口部に相当しているため、使用者に着用されることによって、「使用者Ｕが鰐に食べられている状態」の形態となる。このため、使用者及び周囲の人たちに興趣を与えることが可能であり、楽しく着用することができる。
なお、「動物」としては、鰐，鮫等、種々のものが適用され得る。
【図面の簡単な説明】
【００１５】
【図１Ａ】本考案の実施例１の下半身用タオルを示す斜視図である。
【図１Ｂ】本考案の実施例１の下半身用タオルを示す断面図である。
【図１Ｃ】本考案の実施例１の下半身用タオルの使用状態を示す図である。
【図２Ａ】本考案の実施例２の下半身用タオルを示す斜視図である。
【図２Ｂ】本考案の実施例２の下半身用タオルを示す断面図である。
【図２Ｃ】本考案の実施例２の下半身用タオルの使用状態を示す図である。
【考案を実施するための形態】
【００１６】
［実施例１］
次に、本考案の実施例１について、図１Ａ〜図１Ｃに基づいて説明する。
この実施例の下半身用タオル１０Ａは、いわゆる「人魚タイプ」のものである。この下半身用タオル１０Ａについては、縦長の状態を基本に説明する。
【００１７】
この下半身用タオル１０Ａは、文字通りタオル地の布材によって形成されている。その布材は可撓性を有する面状をしており、おもて面及び裏面を有し、その両方又は一方には、パイル又はシャーリング（いずれも図示省略）が設けられている。
【００１８】
この下半身用タオル１０Ａは、ほぼ筒状をしており、基端部（上端部）が開口して開口部２０Ａが形成され、先端部（下端部）が閉塞している。
そして、人間（使用者Ｕ）の下半身（正確には「下半身を含み、腹部まで及ぶ部分」）に対応した大きさを有している。
【００１９】
そして、この下半身用タオル１０Ａは、「魚の下半身」の形態（正確には「下半身を含む部分の形態」を有している。すなわち、この下半身用タオル１０Ａは、胴部４１及び尾部４２を有している。
胴部４１は、「魚の胴部」（その外郭）の形態を有し、下半身用タオル１０Ａの基端部から先端部に向かうにつれて緩やかに断面積が小さくなる筒状の形状を有している。
尾部４２は、下半身用タオル１０Ａの先端部に形成され、「魚の尾部」（その外郭）の形態を有して二股状の中空となっており、人間（使用者Ｕ）の各足に対応している。
【００２０】
この下半身用タオル１０Ａの開口部２０Ａ及びその近傍は、２枚重ね状とされている。一般的な部分は、タオル地の布材他の部分は１重であるが、その部分のみは２重とされている。
すなわち、この下半身用タオル１０Ａの開口部２０Ａの側の部分は内側に折り返されて折り返し部３２Ａが形成され、折り返し部３２Ａの先端部はメイン部３０Ａ（折り返し部３２Ａ以外の部分）に対して縫い付け糸３４Ａによって縫い付けられている。
【００２１】
次に、この下半身用タオル１０Ａの使用方法及び作用効果について説明する。
使用者Ｕは、この下半身タオルを自身の下半身に身に付ける。すなわち、使用者Ｕは、ズボンをはくのと同様に、自身の両脚を開口部２０Ａを通して下半身用タオル１０Ａの胴部４１の内部に収容させ、自身の各足を尾部４２の各空間内に収容させる。
【００２２】
このように使用者Ｕが下半身用タオル１０Ａを身に付けた状態で、次の作用効果が得られる。
下半身タオルが筒状をしているため、使用者Ｕの下半身（腹部を含む）における仮想断面の全周囲を覆うとともに、その先端部が閉塞しているため、使用者Ｕの足先まで覆い、外部からの冷気の侵入が阻止される。
こうして、使用者Ｕの下半身は確実に保温される。
【００２３】
また、この下半身用タオル１０Ａは文字通りタオル地の布材によって形成されているため、軽量であるとともに、柔らかい感触が得られる。また、汚れた場合は家庭でも容易に洗濯することができる。
また、この下半身用タオル１０Ａの開口部２０Ａ及びその近傍は２枚重ね状とされているため、使用者Ｕの腹部がより確実に保温される。
【００２４】
また、この下半身用タオル１０Ａは「魚の下半身」の形態を有しているため、使用者Ｕ（人間）が着用することによって、使用者Ｕも含めて「人魚」の形態となる。
このため、使用者Ｕ及び周囲の人たちに興趣を与えることが可能であり、楽しく着用することができる。
【００２５】
［実施例２］
次に、本考案の実施例２について、図２Ａ〜図２Ｃに基づいて説明する。実施例２は実施例１の変形例であり、共通する要素については、対応する符号（「Ａ」を「Ｂ」に変更した符号）を付して適宜説明を省略する。
【００２６】
この実施例の下半身用タオル１０Ｂは、いわゆる「鰐（わに）タイプ」のものである。この下半身用タオル１０Ｂについては、横長の状態を基本に説明する。
【００２７】
この下半身用タオル１０Ｂも、ほぼ筒状をしており、基端部が開口して開口部２０Ｂが形成され、先端部が閉塞している。
この下半身用タオル１０Ｂは、「鰐」の形態を有している。すなわち、基端部が「鰐の口の先端部」に対応し、先端部に向けて、「鰐の胴部」及び「鰐の尾部」に対応するように形成されている。「鰐の尾部」に対応する部分は、下半身用タオル１０Ｂの先端部に向かうにつれて緩やかに断面積が小さくなっており、その先端部はほぼ点状に閉塞している。
【００２８】
この下半身用タオル１０Ｂの基端部及びその近傍においては、開口部２０Ｂの左右の縁部から下半身用タオル１０Ｂの先端部に向けて一対の切れ目２２が形成されている。開口部２０Ｂ及び一対の切れ目２２が「鰐の口」に対応する。一対の切れ目２２には、適宜、「鰐の歯」に相当する装飾４６が設けられている。
また、この下半身用タオル１０Ｂのうちの「鰐の胴部」に対応する部分には、「鰐の脚」に相当する装飾４７が設けられている。
【００２９】
次に、この下半身用タオル１０Ｂの使用方法及び作用効果について説明する。
使用者Ｕは、実施例１の下半身用タオル１０Ａと同様に使用し、実施例１と同様の作用効果が得られる。
そして、この下半身用タオル１０Ｂは「鰐」の形態を有し、開口部２０Ｂ及び一対の切れ目２２が「鰐の口」に対応しているため、使用者Ｕ（人間）が着用することによって、「使用者Ｕが鰐に食べられている状態」の形態となる。
このため、使用者Ｕ及び周囲の人たちに興趣を与えることが可能であり、楽しく着用することができる。
【００３０】
なお、上記のものはあくまで本考案の一実施例にすぎず、当業者の知識に基づき種々の変更を加えた態様で本考案を実施できることはもちろんである。
【００３１】
例えば、実施例２の変形例として、「鰐」の形態ではなく、「鮫」等の形態に置き換えられたものが考えられ得る。 
【符号の説明】
【００３２】
１０Ａ，１０Ｂ  下半身用タオル
２０Ａ，２０Ｂ  開口部
３２Ａ，３２Ｂ  折り返し部
【図１Ａ】
0003215291.tif 000003
【図１Ｂ】
0003215291.tif 000004
【図１Ｃ】
0003215291.tif 000005
【図２Ａ】
0003215291.tif 000006
【図２Ｂ】
0003215291.tif 000007
【図２Ｃ】
0003215291.tif 000008